(57)【要約】  【課題】プローブで収集した波形信号を、プローブ内に記憶しておき、後で表示するようにしたので、ノイズの影響を受けない忠実な波形信号を表示可能とした。  【解決手段】プローブ部２を通して入力される被観測波形信号は、ＡＴＴ３０１で適切なレベルに減衰され、ここで減衰された被観測波形信号は、アンプ３０２を通して、Ａ／Ｄ変換器３０３に供給され、被観測デジタル波形信号値に変換される。変換された被観測デジタル波形信号値はメモリ３０４に記憶される。メモリ３０４に記憶されたデジタル波形信号値は、ＣＰＵ３０７を介して送信回路３０５に供給される。送信回路３０５は、トリガゲート３０６からのトリガータイミングにより動作して、被観測デジタル波形信号値をコネクタ端子３０８から波形表示部４に伝送する。なお、被観測デジタル波形信号は、波形表示部に送られてディスプレイに表示される。  【選択図】図３
2009008518.tif 000002
【特許請求の範囲】
【請求項１】
プローブ部と波形収集本体部とからなる波形収集部と、この波形収集部の本体部と電気的に接続される波形表示部とを備えたオシロスコープにおいて、
波形収集本体部と波形表示部にそれぞれ挿脱自在なコネクタ端子を設け、両コネクタ端子を電気的に挿着した際に、予めプローブ部で収集し、波形収集本体部に記憶しておいた被観測波形信号を、前記コネクタ端子同士を接続したときに、波形収集本体部から波形表示部に伝送し、波形表示部のディスプレイに被観測波形信号を表示させるようにしたことを特徴とするオシロスコープ。
【請求項２】
請求項１に記載のオシロスコープにおいて、
前記波形収集本体部は、プローブ部から入力される被観測波形信号を、一定レベルに減衰するアッテネータと、アッテネータで減衰した信号を増幅する増幅回路と、増幅回路で増幅したアナログ信号をデジタル信号に変換するアナログ・デジタル変換回路と、デジタル信号に変換された被観測波形信号を記憶するメモリと、記憶した被観測波形信号を伝送する送信回路と、これら各回路を制御するＣＰＵとからなり、波形収集本体部のコネクタ端子を、波形表示部のコネクタ端子に挿着した後に、ＣＰＵを制御してメモリに記憶されている被観測波形信号を送信回路から波形表示部に伝送することを特徴とするオシロスコープ。
【発明の詳細な説明】
【技術分野】
【０００１】
本発明は、ノイズの影響を受けにくいオシロスコープに関するものである。
【背景技術】
【０００２】
オシロスコープは、図５に示すように、波形収集部であるプローブ５１と、電気信号伝送部である伝送コード５２と、波形表示部であるオシロスコープ本体５３とから構成されている。波形収集部であるプローブ５１には、アース端子５１ａが設けられている。
【０００３】
また、プローブで収集した波形信号をＡＤ変換し、メモリに記憶し、記憶した信号を無線で、波形表示部をメガネ形式の波形表示メガネに送信し、この波形表示メガネでは、プローブから送信されてくる波形信号を受信し、メガネに内蔵された表示装置に表示するようにして、波形を観測できるようにしたオシロスコープが開発されている（例えば、特許文献１参照。)。
【特許文献１】特開平０８−３０４４６４号公報
【発明の開示】
【発明が解決しようとする課題】
【０００４】
オシロスコープでの波形観測において、重要なことは、波形収集部のプローブ５１で収集された波形信号が忠実にオシロスコープ本体５３に表示されることが必要である。しかし、空間に散在しているノイズ（以下放射ノイズと称す）を、伝送コード５２が拾って、この放射ノイズがプローブ５１で収集した波形信号に重畳され、その放射ノイズが重畳された波形信号が、オシロスコープ本体５３に表示されてしまう問題がある。
【０００５】
また、プローブで収集した波形信号を無線で波形表示メガネに送信したものでも送受信アンテナから放射ノイズの影響を受けるおそれがある。
【０００６】
本発明は、上記の事情に鑑みてなされたもので、プローブで収集した波形信号を、プローブ内に記憶しておき、プローブと波形表示部との伝送路を省略して、プローブを波形表示部に挿着するようにしたので、ノイズの影響を受けない忠実な観測波形信号を表示可能としたオシロスコープを提供することを課題とする。
【課題を解決するための手段】
【０００７】
本発明は、上記の課題を達成するために、プローブ部と波形収集本体部とからなる波形収集部と、この波形収集部の本体部と電気的に接続される波形表示部とを備えたオシロスコープにおいて、
波形収集本体部と波形表示部にそれぞれ挿脱自在なコネクタ端子を設け、両コネクタ端子を電気的に挿着した際に、予めプローブ部で収集し、波形収集本体部に記憶しておいた被観測波形信号を、前記コネクタ端子同士を接続したときに、波形収集本体部から波形表示部に伝送し、波形表示部のディスプレイに被観測波形信号を表示させるようにしたことを特徴とするものである。
【０００８】
また、前記波形収集本体部は、プローブ部から入力される被観測波形信号を、一定レベルに減衰するアッテネータと、アッテネータで減衰した信号を増幅する増幅回路と、増幅回路で増幅したアナログ信号をデジタル信号に変換するアナログ・デジタル変換回路と、デジタル信号に変換された被観測波形信号を記憶するメモリと、記憶した被観測波形信号を伝送する送信回路と、これら各回路を制御するＣＰＵとからなり、波形収集本体部のコネクタ端子を、波形表示部のコネクタ端子に挿着した後に、ＣＰＵを制御してメモリに記憶されている被観測波形信号を送信回路から波形表示部に伝送することを特徴とするものである。
【発明の効果】
【０００９】
本発明によれば、波形収集部と波形表示部との間のノイズが受ける伝送路を省略するようにしたので、ノイズの影響を受けない忠実な観測波形信号を表示可能とすることができる。
【発明を実施するための最良の形態】
【００１０】
以下本発明の実施の形態を図面に基づいて説明する。図１、図２は本発明の実施の形態を示す構成図で、図１は波形収集部１を示し、図２は波形表示部４を示すものである。
【００１１】
図１に示す波形収集部１は、プローブ部２と、詳細を後述する波形収集本体部３とから構成され、波形収集本体部３の端部にはコネクタ端子３０８が設けられる。３１はアース端子である。
【００１２】
図２に示す波形表示部４は、コネクタ端子４０１と、ディスプレイ４０４とを有し、コネクタ端子４０１に波形収集部１のコネクタ端子３０８が挿着されて電気的に接続される。
【００１３】
次に、波形収集本体部３の詳細を図３により述べる。図３において、３０１はアッテネータ（ＡＴＴ）で、このＡＴＴ３０１は、プローブ部２を通して入力される被観測波形信号を適切なレベルに減衰させるもので、ここで減衰された被観測波形信号は、アンプ３０２を通して、アナログ・デジタル（Ａ／Ｄ）変換器３０３に供給されて、デジタル被観測波形信号値に変換される。変換されたデジタル被観測波形信号値はメモリ３０４に記憶される。
【００１４】
メモリ３０４に記憶されたデジタル波形信号値は、ＣＰＵ３０７を介して送信回路３０５に供給される。送信回路３０５は、トリガゲート３０６からのトリガータイミングにより動作して、デジタル被観測波形信号値をコネクタ端子３０８から波形表示部４に伝送する。なお、波形収集本体部３の一連の動作は、ＣＰＵ３０７にて制御される。
【００１５】
波形表示部４は、図４に示すように構成されていて、コネクタ端子４０１には、波形収集本体部３のコネクタ端子３０８が接続される。コネクタ端子４０１から入力されたデジタル被観測波形信号値は、受信回路４０２を介してメモリ４０３に記憶され、ＣＰＵ４０５による制御動作で、ディスプレイ４０４に被観測波形信号が表示される。
【図面の簡単な説明】
【００１６】
【図１】本発明の実施の形態を示す波形収集部の構成図。
【図２】本発明の実施の形態を示す波形表示部の構成図。
【図３】波形収集本体部の詳細なブロック構成図。
【図４】波形表示部の詳細なブロック構成図。
【図５】従来のオシロスコープの概略構成図。
【符号の説明】
【００１７】
１…波形収集部
２…プローブ部
３…波形収集本体部
４…波形表示部
３０１…ＡＴＴ
３０２…アンプ
３０３…Ａ／Ｄ変換回路
３０４、４０３…メモリ
３０５…送信回路
３０６…トリガゲート
３０７，４０５…ＣＰＵ
３０８、４０１…コネクタ端子
４０２…受信回路
４０４…ディスプレイ
【図１】
2009008518.tif 000003
【図２】
2009008518.tif 000004
【図３】
2009008518.tif 000005
【図４】
2009008518.tif 000006
【図５】
2009008518.tif 000007